(57)【要約】      （修正有）【課題】上部骨盤と下部骨盤の両方を有効に緊締する、一枚ものの編地からなる骨盤矯正用ガードルを提供する。【解決手段】腰部２にＸ字状の襷掛け補強部を設け、補強部がカットボス方法によって補強糸を編成した骨盤矯正用ガードル１を構成するものである。【選択図】図１
0003118505.tif 000002
【実用新案登録請求の範囲】
【請求項１】
上下にずり落ち防止用の締付部と襷状に囲むＸ字型部とその他の部分の編地部を有する骨盤矯正用ガードルにおいて、襷状に囲むＸ字型部はカットボス方法によって補強糸を編成したことを特徴とする骨盤矯正用ガードル。
【請求項２】
前記襷状に囲むＸ字型部の第１コースはダブルカバリングヤーン（ＤＣＹ）にシングルカバリングヤーン（ＳＣＹ）を添え糸とし、カットボス編みで編成し、第２コースはウーリーナイロン糸、ＳＣＹ、ナイロンフィラメント又は綿糸で編成し、第３コースはＤＣＹにＳＣＹを添え糸とし、カットボス編みで編成し、第４コースはウーリーナイロン糸、ＳＣＹ、ナイロンフィラメント又は綿糸で交編により編成した請求項１記載の骨盤矯正用ガードル。
【請求項３】
前記襷状に囲むＸ字型部の第１コースはウーリーナイロン糸、ＳＣＹ、ナイロンフィラメント又は綿糸にＳＣＹを添え糸とし、カットボス編みで編成し、第２コースはＤＣＹを挿通し、第３コースはウーリーナイロン糸、ＳＣＹ、ナイロンフィラメント又は綿糸にＳＣＹを添え糸とし、カットボス編みで編成し、第４コースはＤＣＹを挿通しインレイ編みで編成した請求項１記載の骨盤矯正用ガードル。
【請求項４】
前記襷状に囲むＸ字型部の他の部分の組織の第１コースはＤＣＹで編成し、第２コースはウーリーナイロン糸、ＳＣＹ、ナイロンフィラメント又は綿糸で編成し、第３コースはＤＣＹで編成し、第４コースはウーリーナイロン糸、ＳＣＹ、ナイロンフィラメント又は綿糸で交編により編成した請求項１記載の骨盤矯正用ガードル。
【請求項５】
前記襷状に囲むＸ字型部の他の部分の組織の第１コースはウーリーナイロン糸、ＳＣＹ、ナイロンフィラメント又は綿糸で編成し、第２コースはＤＣＹを挿通し、第３コースはウーリーナイロン糸、ＳＣＹ、ナイロンフィラメント又は綿糸で編成し、第２コースはＤＣＹを挿通しインレイ編みで編成した請求項１記載の骨盤矯正用ガードル。
【考案の詳細な説明】
【技術分野】
【０００１】
本考案は、骨盤矯正用ガードルに係り、更に詳しくは、骨盤を矯正する機能を持つガードルに関するもので、骨盤矯正用のパンティも含むものである。
【背景技術】
【０００２】
骨盤は、全身の動きの要であり、臓器を保護する重要な役割を担っている。その骨盤は図８に示すように、第五腰椎１１、仙骨１２、尾骨１３、左右の寛骨１４，１４からなっている。ところが骨盤１０は、寛骨１４以外の三つの骨１１、１２、１３が、関節と椎間軟骨で連結され、骨の間に靭帯が張って結合している。
【０００３】
そのため骨盤１０は、年令と共に周囲の筋力も低下するし、また各種の原因によって、仙骨１２と寛骨１４との間の仙腸関節１５がズレたり、下の股関節１６が開いたりして、骨盤の歪みを生ずることになる。その原因は、長時間の無理な姿勢や、重量物の持ち上げや、出産等に起因する。そこで腰痛、ぎっくり腰、椎間板ヘルニア、挫骨神経痛等を発症することになる。
【０００４】
これら症状の対処療法として、腰部に巻き付けるための骨盤安定用ベルトが提案されている（例えば特許文献１、実用新案文献１、実用新案文献２）。しかし、屈曲運動をすると位置のズレることがあり、また着用者に窮屈感を与えるものとなっている。
【特許文献１】特開２００４−２４４３７号公報
【特許文献２】実用新案登録第３０３７０２４号公報
【特許文献３】実用新案登録第３０４６８０３号公報
【０００５】
またアタッチメント式のものや、ガードル式のものも公知である（例えば特許文献４、特許文献５、特許文献６、実用新案文献３）。しかしガードル式のものは、ベルトを縫い合わしたもので、着脱が面倒であり、また針金等の芯材は洗濯による破損や、身体を傷付けることが問題となっており、一枚ものの編地からなるものが望まれている。
【特許文献４】特開平６−１７３１０１号公報
【特許文献５】特開２００２−２６３１２７号公報
【特許文献６】特開２００５−１１３３１１号公報
【特許文献７】実用新案登録第３０７６９１０号公報
【０００６】
一方、上部骨盤と下部骨盤との両方を有効に緊締するためには、ガードル腰部の補強部分を、Ｘ字状に襷掛けすることが好ましく、この先行技術としては、特許文献８と特許文献９が開示されている。しかしこの先行技術の補強部分は、強力な伸縮性を有するものとはなっていない。そして、カットボス方法（添え糸を両端で切断する方法）によるものでもなかった。
【特許文献８】特開２００５−１５９２５号公報
【特許文献９】特開平１０−８３０３号公報
【０００７】
カットポス方法によると、適度に圧迫するサポート力を有することができる。この公知技術としては、本考案の出願人が先に出願した特許文献１０と特許文献１１が公知である。但し、上部骨盤と下部骨盤の両方を緊締する骨盤矯正用のガードルではなかった。
【特許文献１０】特開２０００−３４５４０７号公報
【特許文献１１】特開２００４−６００７６号公報
【０００８】
本考案は、骨盤矯正用のガードルを目的としたものである。そのためには、左右の寛骨の位置を矯正するための上部骨盤と、股関節の位置を矯正するための下部骨盤との両方を有効に緊締する必要がある。従って、Ｘ字状の襷掛け等によって、上部と下部の両方を圧迫することが好ましい。
【考案の開示】
【考案が解決しようとする課題】
【０００９】
上記の事情に鑑み、本考案は、上部骨盤と下部骨盤の両方を有効に緊締する、一枚ものの編地からなる骨盤矯正用ガードルの提供を課題とする。
【課題を解決するための手段】
【００１０】
本考案は上記目的を達成するために、腰部にＸ字状の襷掛け補強部を設け、該補強部がカットボス方法によって補強糸を編成した骨盤矯正用ガードルを構成するものである。
【考案の効果】
【００１１】
本考案の骨盤矯正用ガードルは、外側に開きがちな上部骨盤と下部骨盤の両方を、有効に圧迫することができる。
【００１２】
本考案の骨盤矯正用ガードルは、一枚ものの編地からなるために、着脱しやすく装着感がよく、洗濯による破損や身体を傷付ける恐れもない。
【００１３】
本考案の骨盤矯正用ガードルには、下腹部の弛みやヒップの垂れ下りを矯正する整容効果も有する。
【考案を実施するための最良の形態】
【００１４】
以下、本考案の実施例を図面に基づいて詳しく説明する。
【００１５】
図１は、本考案の骨盤矯正用ガードルの一実施例を示す正面図、図２は、同右側面図、図３は、同背面図である。図４は、本発明の骨盤矯正用ガードルの一実施例を示す上端のウエストバンド部Ａ１の組織図、図５は、同下部のバンド部Ａ２の組織図、図６は同Ｘ字状の襷掛け補強部以外のＢ部の組織図、図７は同襷状に囲むＸ字型部Ｃの組織図である。図８は、本発明の骨盤矯正用ガードルの他の実施例を示す上端のウエストバンド部Ａ１の組織図、図９は、同下部のバンド部Ａ２の組織図、図１０は、同Ｘ字状の襷掛け補強部以外のＢ部の組織図、図１１は、同襷状に囲むＸ字型部Ｃの組織図、図１２は、骨盤の名称を示す正面図である。
【００１６】
図１、２、３に示すように、骨盤矯正用ガードル１は、腰部２にＸ字状の襷掛け補強部Ｃを設けている。本考案でいうＸ字状の襷掛けとは、図１のように正面からみてＸ字状に形成されており、側面からみると図２のように太鼓型をしており、背面からみると図３のように上部はＶ字型であり、下部は直線状になって尾骨を持ち上げるように形成されている。
【００１７】
骨盤矯正用ガードルは、パターン１として、小径丸編機により、左右の脚部と腰部とからなる筒編地を１本づつ編成し、各筒編地の腰部の編地の内側を裁断して裁断した部分を互いに縫製してガードルとしたものと、パターン２として、大径丸編機により、一体の筒編地を編成し、筒編地の脚部の中央部を縫製してガードルとしたものとの２種類のガードルが編成されるが、いずれのガードルも筒編地は以下に記載する編成方法で編成する。
【００１８】
パターン１の骨盤矯正用ガードルの上端のウエストバンド部Ａ１の糸使いは、図４に示すように、４口編みからなり、第１コースＣ１は、１９８ＤＴのポリウレタン弾性糸芯糸に、４４ＤＴと４４ＤＴのウーリーナイロン糸をダブルカバリングしたＤＣＹ、第２コースＣ２は２２ＤＴのポリウレタン弾性糸芯糸に７８ＤＴのウーリーナイロン糸をシングルカバリングしたＳＣＹ、第３コースＣ３は３３ＤＴ、１０フィラメントのウーリーナイロン単糸を合撚した双糸という順序で繰り返し交編して編成する。
なお、ＤＴとは、１００００ｍで１ｇの糸の繊度を１ＤＴとする。
また、ウーリーナイロン糸に代えてＳＣＹ、ナイロンフィラメント又は綿糸を用いてもよい。
【００１９】
パターン１の骨盤矯正用ガードルの下端のバンド部は、図５に示すように、４口編みからなり、第１コースＣ１は１２０ＤＴのポリウレタン弾性糸芯糸に１３ＤＴと１３ＤＴとのウーリーナイロン糸をダブルカバリングしたＤＣＹ、第２コースＣ２は３３ＤＴのウーリーナイロンの単糸（１０フィラメント）を合撚した双糸、第３コースＣ３は第１コースと同様に、１２０ＤＴのポリウレタン弾性糸芯糸に１３ＤＴと１３ＤＴとのウーリーナイロン糸をダブルカバリングしたＤＣＹ、第４コースＣ４は３３ＤＴのウーリーナイロンの単糸（１０フィラメント）を合撚した双糸という順序で繰り返し交編で編成する。
【００２０】
パターン１のＸ字状の襷掛け補強部の他のＢ部の糸使いは、図６に示すように、４口編みからなり、第１コースＣ１は１２０ＤＴのポリウレタン弾性糸芯糸に１３ＤＴと１３ＤＴのウーリーナイロン糸をダブルカバリングしたＤＣＹ、第２コースＣ２は３３ＤＴのウーリーナイロンの単糸（１０フィラメント）を合撚した双糸、第３コースＣ３は第１コースと同様に、１２０ＤＴのポリウレタン弾性糸芯糸に１３ＤＴと１３ＤＴのウーリーナイロン糸をダブルカバリングしたＤＣＹ、第４コースＣ４は３３ＤＴのポリウレタン弾性糸芯糸にウーリーナイロンの単糸（１０フィラメント）を合撚した双糸の順で繰り返し編成する。
【００２１】
パターン１のＸ字状の襷掛け補強部Ｃの糸使いは、図７に示すように、４口編みからなり、第１コースＣ１は１２０ＤＴのポリウレタン弾性糸芯糸に１３ＤＴと１３ＤＴのウーリーナイロン糸をダブルカバリングしたＤＣＹ（Ｃ１ａ）と７８ＤＴのポリウレタン弾性糸芯糸に７８ＤＴのウーリーナイロン２４フィラメント双糸ｂを添え糸とし、カットボス編みで編成し、第２コースＣ２は３３ＤＴの単糸（１０フィラメント）を合撚したウーリーナイロン双糸、第３コースＣ３は第１コースと同様に、１２０ＤＴのポリウレタン弾性糸芯糸に１３ＤＴと１３ＤＴのウーリーナイロン糸をダブルカバリングしたＤＣＹ（Ｃ１ａ）と７８ＤＴのポリウレタン弾性糸芯糸に７８ＤＴのウーリーナイロン２４フィラメント双糸ｂを添え糸とし、カットボス編みで編成し、第４コースＣ４は３３ＤＴの単糸（１０フィラメント）を合撚したウーリーナイロン双糸を順次交編により編成する。
【００２２】
ここで、交編とは、２種類以上の編糸を交互に組み合わせて編成した編地であり、本願の場合、通常はサポート糸とナイロン糸とを交互に編成し、ナイロン糸に透明感があるため、ゾッキ編より透明感が高くファッション性に優れている。
インレイ編とは、編地に本発明の場合、ポリウレタン弾性糸を挿入して編成することをいう。
カットボス編とは、地糸の上に別の糸を重ねて編成する場合に、地糸からなる編地の部分的な領域に別の糸を編み込んで編成することを総称していう。機能的には、部分的な補強を目的とする場合とデザインを目的とする場合があるが、本発明の場合は、部分的な補強を目的としている。
【００２３】
なお、実施例では糸使いの一例を示すが、糸使いはこれに限定されるものでなく、本考案の糸使いは適宜選択しうるものである。
たとえば、ウーリーナイロン糸に代えてＳＣＹ、ナイロンフィラメント糸又は綿糸を用いてもよい。ポリウレタン弾性糸は２０ないし１０００ＤＴ、好適には、１００ないし２００ＤＴの範囲で変更できる。また、ナイロン糸に代えてポリエステル糸を用いてもよい。ナイロンフィラメント糸は５ないし１２０ＤＴ、好適には、３０ないし７０ＤＴの範囲で変更できる。綿糸を用いた場合は、４０ないし８０番手の範囲で変更できる。
【００２４】
パターン２の骨盤矯正用ガードルの上端のウエストバンド部Ａ１の糸使いは、図８に示すように、４口編みからなり、第１コースＣ１は、１９８ＤＴのポリウレタン弾性糸芯糸に、４４ＤＴと４４ＤＴのウーリーナイロン糸をダブルカバリングしたＤＣＹ、第２コースＣ２は２２ＤＴのポリウレタン弾性糸芯糸に７８ＤＴのウーリーナイロン糸をシングルカバリングしたＳＣＹ、第３コースＣ３は３３ＤＴ、１０フィラメントのウーリーナイロン単糸を合撚した双糸、第４コースＣ４は３３ＤＴのウーリーナイロンの単糸（１０フィラメント）を合撚した双糸という順序で繰り返し交編で編成する。
なお、ウーリーナイロン糸に代えてＳＣＹ、ナイロンフィラメント又は綿糸を用いてもよい。
【００２５】
パターン２の骨盤矯正用ガードルの下端のバンド部は、図９に示すように、４口編みからなり、第１コースＣ１は１１７ＤＴのポリウレタン弾性糸芯糸に１３ＤＴと１３ＤＴとのウーリーナイロン糸をダブルカバリングしたＤＣＹ、第２コースＣ２は５０ＤＴのウーリーナイロンの単糸（３４フィラメント）を合撚した双糸、第３コースＣ３は第１コースと同様に、１１７ＤＴのポリウレタン弾性糸芯糸に１３ＤＴと１３ＤＴとのウーリーナイロン糸をダブルカバリングしたＤＣＹ、第４コースＣ４は５０ＤＴのウーリーナイロンの単糸（３４フィラメント）を合撚した双糸という順序で繰り返し交編で編成する。
【００２６】
パターン２のＸ字状の襷掛け補強部の他のＢ部の糸使いは、図１０に示すように、４口編みからなり、第１コースＣ１は５０ＤＴのウーリーナイロンの単糸（３４フィラメント）を合撚した双糸を編成し、第２コースＣ２は１１７ＤＴのポリウレタン弾性糸芯糸に１３ＤＴと１３ＤＴのウーリーナイロン糸をダブルカバリングしたＤＣＹを挿入し、第３コースＣ３は第１コースと同様に、５０ＤＴのウーリーナイロンの単糸（３４フィラメント）を合撚した双糸を編成し、第４コースＣ４は１１７ＤＴのポリウレタン弾性糸芯糸に１３ＤＴと１３ＤＴのウーリーナイロン糸をダブルカバリングしたＤＣＹを挿入し、この順で繰り返し編成する。
【００２７】
パターン２のＸ字状の襷掛け補強部Ｃの糸使いは、図１１に示すように、４口編みからなり、第１コースＣ１は５０ＤＴのウーリーナイロンの単糸（３４フィラメント）を合撚した双糸（Ｃ１ａ）に、４４ＤＴのポリウレタン弾性糸芯糸に７８ＤＴのウーリーナイロン糸をシングルカバリングしたＳＣＹ（Ｃ１ｂ）を添え糸とし、カットボス編みで編成し、第２コースＣ２は１１７ＤＴのポリウレタン弾性糸芯糸に１３ＤＴと１３ＤＴのウーリーナイロン糸をダブルカバリングしたＤＣＹを挿入し、第３コースＣ３は第１コースと同様に、５０ＤＴのウーリーナイロンの単糸（３４フィラメント）を合撚した双糸（Ｃ３ａ）に、４４ＤＴのポリウレタン弾性糸芯糸に７８ＤＴのウーリーナイロン糸をシングルカバリングしたＳＣＹ（Ｃ３ｂ）を添え糸とし、カットボス編みで編成し、第４コースＣ４は１１７ＤＴのポリウレタン弾性糸芯糸に１３ＤＴと１３ＤＴのウーリーナイロン糸をダブルカバリングしたＤＣＹを挿入し、この順で繰り返し編成する。
【００２８】
なお、骨盤矯正用ガードルは、パターン１において、襷状に囲むＸ字型部とその他の部分の編地部を交編により編成する例と、パターン２において、襷状に囲むＸ字型部とその他の部分の編地部をインレイ編みで編成するのが好適であるが、襷状に囲むＸ字型部をインレイ編みで編成しその他の部分の編地部を交編により編成してもよい。
以上の構成からなるため、図３に示すように、上部骨盤はＨ１，Ｈ１の圧迫力によって、また下部骨盤はＨ２，Ｈ２の圧迫力によってサポ−トされる。
【産業上の利用可能性】
【００２９】
本考案の骨盤矯正用ガードルは、骨盤矯正用を始めとして、下腹部の弛みやヒップの垂れ下りを矯正する整容矯正用としても、広く利用しうるものである。
【図面の簡単な説明】
【００３０】
【図１】本考案の骨盤矯正用ガードルの一実施例を示す正面図である。
【図２】同右側面図である。
【図３】同背面図である。
【図４】本考案の骨盤矯正用ガードルのパターン１のウエストバンド部の組織図である。
【図５】本考案の骨盤矯正用ガードルのパターン１の下部バンド部の組織図である。
【図６】本考案の骨盤矯正用ガードルのパターン１の襷状に囲むＸ字型部の他の組織図である。
【図７】本考案の骨盤矯正用ガードルのパターン１の襷状に囲むＸ字型部の組織図である。
【図８】本考案の骨盤矯正用ガードルのパターン２のウエストバンド部の組織図である。
【図９】本考案の骨盤矯正用ガードルのパターン２の下部バンド部の組織図である。
【図１０】本考案の骨盤矯正用ガードルのパターン２の襷状に囲むＸ字型部の他の組織図である。
【図１１】本考案の骨盤矯正用ガードルのパターン２の襷状に囲むＸ字型部の組織図である。
【図１２】骨盤の名称を示す正面図である。
【符号の説明】
【００３１】
１   
骨盤矯正用ガードル
２   
腰部
Ａ   
締付部
Ｂ   
襷状に囲むＸ字型部以外の部
Ｃ   
襷状に囲むＸ字型部
１０  骨盤
１１  第五腰椎
１２  仙骨
１３  尾骨
１４  寛骨
１５  仙腸関節
１６  股関節
Ｈ１  上部骨盤の圧迫力
Ｈ２  下部骨盤の圧迫力
【図１】
0003118505.tif 000003
【図２】
0003118505.tif 000004
【図３】
0003118505.tif 000005
【図４】
0003118505.tif 000006
【図５】
0003118505.tif 000007
【図６】
0003118505.tif 000008
【図７】
0003118505.tif 000009
【図８】
0003118505.tif 000010
【図９】
0003118505.tif 000011
【図１０】
0003118505.tif 000012
【図１１】
0003118505.tif 000013
【図１２】
0003118505.tif 000014